(57)【特許請求の範囲】
【請求項１】
公衆浴場やホテル旅館等の浴槽の浴槽水の全量入替えシステムにおいて、
それぞれに給湯配管および排水配管をそなえた浴槽Ａと浴槽Ｂを互いに隣接して設置し、
浴槽Ａと浴槽Ｂの隔壁Ｃはお互いの浴槽を仕切る共通の隔壁として機能するよう形成し、
共通の隔壁Ｃは浴槽を形成するその他の隔壁Ｄと比較して高さを若干低く形成し、
浴槽Ａおよび浴槽Ｂのそれぞれの浴槽に備わった給湯弁２および給湯弁３が開いて給湯され、
浴槽Ａと浴槽Ｂのそれぞれに給湯が完了したときは隔壁Ｃが水没して浴槽Ａおよび浴槽Ｂはひとつの浴槽として機能するよう形成されており、
浴槽Ａの給湯弁２が閉まりかつ排水弁１が開くと浴槽Ａの水位はしだいに低下し浴槽Ｂに給湯された給湯水７は隔壁Ｃからオ−バ−フロ−して浴槽Ａへ流入して浴槽Ａの底盤等を洗い流しながら浴槽Ａの排水弁１から排水され、
浴槽Ａの排水が完全に終了すると排水弁１が閉まり、浴槽Ａの給湯弁２が開き給湯が開始され浴槽Ａの貯留が始まり、浴槽Ａが満水になると浴槽Ａおよび浴槽Ｂは隔壁Ｃを水没させひとつの浴槽としてつながるよう機能し、
浴槽Ｂの給湯弁３が閉まりかつ排水弁４が開くと、浴槽Ｂの水位はしだいに低下し浴槽Ａに給湯された給湯水６は隔壁Ｃからオ−バ−フロ−して浴槽Ｂに流入して浴槽Ｂの底盤等を洗い流しながら浴槽Ｂの排水弁４から排水され、
浴槽Ｂの排水が完全に終了すると排水弁４が閉まり、浴槽Ｂの給湯弁３が開き給湯が開始され浴槽Ｂの貯留が始まり、浴槽Ｂが満水になると浴槽Ａおよび浴槽Ｂは隔壁Ｃを水没させひとつの浴槽としてつながるよう機能する
ことを特徴とする浴槽水の全量入替えシステム。
【発明の詳細な説明】
【０００１】
【発明の属する技術分野】
本発明は公衆浴場やホテル旅館等の浴槽の浴槽水の入れ替えシステムに関する。
【０００２】
【従来の技術】
近年の公衆浴場やホテル、サウナ、旅館などの大衆浴場は、温泉ブ−ムも手伝い露天風呂や浴槽の大型化がすすみ、限られた源泉だけではすべての浴槽をまかなえないため、やむなく浴槽水を循環させ利用していた。
【０００３】
そのため大型の濾過装置や殺菌装置を必要としていたがその能力も充分なものではなく、お客が大量にくると能力をオ−バ−してしまい浴槽水を浄化しきれずに浴場全体が臭くなったり、微生物汚染を防ぐ目的で投入した殺菌剤の塩素（次亜塩素酸ソ−ダまたはカルキ）の匂いがしたりしていた。
【０００４】
最近特に多くなったアトピ−患者は、温泉治療のためにこのような温泉施設に訪れていたが、この塩素の害のためにかえって症状を悪化させていた。
【０００５】
また、古い施設や小規模の温泉では浴槽水を循環させないで源泉をそのまま給湯しオ−バ−フロ−させていたが、熱いお湯は浴槽の表層部をながれて捨てられるだけで浴槽の内部の汚れまでは流しきれないため、底部には人間の分泌物などが沈澱して営業終了後の浴槽内部は汚くて見られたものではなかった。
【０００６】
浴槽水はその温度が微生物の繁殖に最適の温度で、肺炎様の症状（在郷軍人病）を引き起こすレジオネラ属菌や一般細菌・大腸菌は活発に繁殖を繰り返し、適当な殺菌や浴槽水の入れ替えを行わない大多数の温泉施設は雑菌に汚染されたお湯につかるようなものであった。
【０００７】
数年前に家庭用の２４時間風呂が浴槽内部の殺菌不良でたたかれたが、浴槽水を入れ替えない大衆浴場や露天風呂は、それ以上の問題を有している。
【０００８】
【発明が解決しようとする課題】
本発明はこれらの欠点をなくし、自動的に浴槽水を全量入れ替え、浴槽内での微生物汚染を未然に防ぎ、つねに清潔な温泉浴場を提供するものである。
【０００９】
【課題を解決するための手段】
上記の目的を達成するために、本発明はそれぞれに給湯弁２または３および排水弁１または４をそなえた浴槽Ａと浴槽Ｂを互いに隣接して設置し、浴槽Ａと浴槽Ｂの隔壁Ｃはお互いの浴槽を仕切る共通の隔壁として使用し、隔壁Ｃは浴槽を形成するその他の隔壁Ｄと比較して高さを若干低く形成し、浴槽Ａと浴槽Ｂのそれぞれに給湯が完了したときは隔壁Ｃは水没して浴槽ＡおよびＢはひとつの浴槽として機能するよう構成されている。
【００１０】
【作  用】
通常は浴槽Ａおよび浴槽Ｂともに給湯されてひとつの大きな浴槽として機能するが、浴槽Ａの排水弁１が開くと浴槽Ｂに給湯されたお湯７は隔壁Ｃをオ−バ−フロ−し浴槽Ａに流入して浴槽Ａの底盤等を洗い流し排水され、浴槽Ａの排水弁１が閉まると浴槽Ａの給湯弁２が開き貯留が始まり、浴槽Ａが満水になると浴槽ＡおよびＢはひとつの浴槽としてつながり機能し、浴槽Ｂの排水弁４が開くと浴槽Ａに給湯されたお湯６は隔壁Ｃをオ−バ−フロ−し浴槽Ｂに流入して浴槽Ｂの底盤等を洗い流し排水され、浴槽Ｂの排水弁４が閉まると浴槽Ｂの給湯弁３が開き貯留が始まり、浴槽Ｂが満水になると浴槽ＡおよびＢはひとつの浴槽として機能するよう構成されており浴槽ＡおよびＢの浴槽水が一定時間ごとに交互に満水排水を繰り返す。
【００１１】
【発明の実施の形態】
以下、本発明の実施例について図面を参照しながら説明する。
【００１２】
【実  施  例】
この実施例は図１に示すように従来の単なる浴槽と異なり、ＡＢ２つの浴槽が隣り合わせに設置され図２のように共通の隔壁Ｃを有するように構成する。
【００１３】
共通の隔壁Ｃは浴槽の他の４辺の隔壁Ｄよりもやや低く構成する。
ＡＢそれぞれの浴槽に備わった給湯弁２および３が開き給湯が開始され、満水になるとＡ槽およびＢ槽は隔壁Ｃの他の４辺の隔壁Ｄよりも低い分だけつながって隔壁Ｃは水没した形でひとつの浴槽のようになる。
【００１４】
次に一定時間が過ぎると、浴槽Ａの給湯弁２が閉まりかつ排水弁１が開くと、浴槽Ａの水位はしだいに低下し浴槽Ｂに給湯された浴槽水は隔壁Ｃからオ−バ−フロ−して浴槽Ａの底部を洗い流しながら浴槽Ａの排水弁１から排水される。
【００１５】
浴槽Ａの排水が完全に終了すると排水弁１が閉まり、給湯弁２が開き給湯６が開始され浴槽Ａは次第に満水状態となる。
【００１６】
浴槽Ａが満水になると前述したように隔壁Ｃを水没させ浴槽ＡＢはひとつの浴槽となる。
【００１７】
次に一定時間が過ぎると、浴槽Ｂの給湯弁３が閉まりかつ排水弁４が開くと、浴槽Ｂの水位はしだいに低下し浴槽Ａに給湯された浴槽水は隔壁Ｃからオ−バ−フロ−して浴槽Ｂの底部を洗い流しながら浴槽Ｂの排水弁４から排水される。
【００１８】
浴槽Ｂの排水が完全に終了すると排水弁４が閉まり、給湯弁３が開き給湯７が開始され浴槽Ｂは次第に満水状態となる。
【００１９】
浴槽Ｂが満水になると前述したように隔壁Ｃを水没させ浴槽ＡＢはひとつの浴槽となり、一定時間ごとにこれを繰り返す。
【００２０】
なお、浴槽ＡＢの２つの浴槽で実施例を示したが、図１０のように、複数の浴槽を縦横に隣り合わせて配置し、それぞれの浴槽を交互にあるいは単独で給排水することもできる。
【００２１】
【発明の効果】
以上、詳説したように、浴槽水の完全交換をすることにより、常に清潔な浴槽水を提供することが可能となった。
【００２２】
このために浴槽内部でのレジオネラ属菌や一般細菌・大腸菌などの増殖を防ぐことが可能となり、塩素などの殺菌剤の投入もすることなく常に清潔な温泉を大衆に供することが可能となった。
【図面の簡単な説明】
【図１】基本的な浴槽配置の平面図
【図２】基本的な浴槽配置の断面図で２つの浴槽が満水状態のとき
【図３】基本的な浴槽配置の断面図でＡの浴槽が排水状態のとき
【図４】基本的な浴槽配置の断面図でＡの浴槽が排水の最終状態のとき
【図５】基本的な浴槽配置の断面図でＡの浴槽に給湯中のとき
【図６】基本的な浴槽配置の断面図でＡおよびＢの浴槽ともに満水のとき
【図７】基本的な浴槽配置の断面図でＢの浴槽が排水状態のとき
【図８】基本的な浴槽配置の断面図でＢの浴槽が排水の最終状態のとき
【図９】基本的な浴槽配置の断面図でＢの浴槽に給湯中のとき
【図１０】基本的な浴槽配置の断面図でＡおよびＢの浴槽ともに満水のとき
【図１１】複数の浴槽配置例の断面図でＡ・Ｂの浴槽ともに満水でＣが排水のとき
【符号の説明】
１………浴槽Ａの排水弁
２………浴槽Ａの給湯弁
３………浴槽Ｂの給湯弁
４………浴槽Ｂの排水弁
５………オ−バ−フロ−水
６………浴槽Ａの給湯水
７………浴槽Ｂの給湯水
８………浴槽Ｂの排水
９………浴槽Ａの排水
１０……浴槽Ｃの給湯弁
１１……浴槽Ｃの排水
Ｃ………浴槽を分割する隔壁
Ｄ………浴槽を形成する外周の隔壁
【図１】
0004161123.tif 000002
【図２】
0004161123.tif 000003
【図３】
0004161123.tif 000004
【図４】
0004161123.tif 000005
【図５】
0004161123.tif 000006
【図６】
0004161123.tif 000007
【図７】
0004161123.tif 000008
【図８】
0004161123.tif 000009
【図９】
0004161123.tif 000010
【図１０】
0004161123.tif 000011
【図１１】
0004161123.tif 000012